(57)【要約】【課題】貯蔵物に結露水が付着することを抑制するとともに収納ケース内の貯蔵物の乾燥を抑えて貯蔵物の鮮度を保つ。【解決手段】前面の開口部５ａを扉５ｂにより開閉される貯蔵室５と、貯蔵物を収納するとともに前後にスライド自在に支持される収納ケース１０と、前記収納ケース１０の上面を前後にスライドして開閉するとともに閉じた際に前端で前記収納ケース１０との間を密閉する小物ケース１１と、前記収納ケース１０の後方で前記小物ケース１１から下方に延びる突出部１１ｂと、前記貯蔵室５の下面に設けられる水受部４２と、を備え、前記扉５ｂを閉じた状態で前記突出部１１ｂが前記水受部４２の鉛直上方に配されることを特徴とする。【選択図】図４
2013036665.tif 000002
【特許請求の範囲】
【請求項１】
前面の開口部を扉により開閉される貯蔵室と、
貯蔵物を収納するとともに前後にスライド自在に支持される収納ケースと、
前記収納ケースの上面を前後にスライドして開閉するとともに閉じた際に前端で前記収納ケースとの間を密閉する小物ケースと、
前記収納ケースの後方で前記小物ケースから下方に延びる突出部と、
前記貯蔵室の下面に設けられる水受部と、
を備え、
前記扉を閉じた状態で前記突出部が前記水受部の鉛直上方に配されることを特徴とする冷蔵庫。
【請求項２】
前記収納ケースの背面には前記突出部に対向した切欠部が設けられることを特徴とする請求項１に記載の冷蔵庫。
【請求項３】
前記貯蔵室に冷気を吐出する吐出口が前記収納ケースの後方に設けられることを特徴とする請求項１又は２のいずれかに記載の冷蔵庫。
【請求項４】
前記突出部の一部又は全部が金属板により形成されることを特徴とする請求項１〜３のいずれかに記載の冷蔵庫。
【請求項５】
前記貯蔵室が野菜室から成ることを特徴とする請求項１〜４のいずれかに記載の冷蔵庫。
【発明の詳細な説明】
【技術分野】
【０００１】
本発明は、貯蔵物を収納する収納ケースを有し、収納ケース上にスライド自在の小物ケースを配した冷蔵庫に関する。
【背景技術】
【０００２】
従来の冷蔵庫は特許文献１に開示される。この冷蔵庫は上段より冷蔵室、冷凍室、野菜室が順に配置され、引き出し式の収納ケースが野菜室の内部に設けられている。収納ケース内に貯蔵物として野菜などを収納する。収納ケースの後方には小物ケースが配されている。小物ケースを後方へスライドさせて収納ケース内の上面を開いた状態から貯蔵物を取得する構成としている。
【先行技術文献】
【特許文献】
【０００３】
【特許文献１】特開平１１−９４４５６号公報（第２頁−第３頁、第２図）
【発明の概要】
【発明が解決しようとする課題】
【０００４】
近年、野菜の乾燥を防止するために収納ケース内の隙間を閉塞して密閉されることが望まれる。しかしながら、収納ケースの密閉度が高くなると、野菜等の貯蔵物から放出される水分によって収納ケースの壁面に結露が生じることがある。この時、流下して収納ケースの底面に溜まると結露水が貯蔵物に付着して貯蔵物が劣化するという問題があった。
【０００５】
本発明は、結露水が貯蔵物に付着することを抑制するとともに、収納ケース内の貯蔵物の乾燥を抑えて貯蔵物の鮮度を保つことができる冷蔵庫を提供することを目的とする。
【課題を解決するための手段】
【０００６】
上記目的を達成するために本発明は、前面の開口部を扉により開閉される貯蔵室と、貯蔵物を収納するとともに前後にスライド自在に支持される収納ケースと、前記収納ケースの上面を前後にスライドして開閉するとともに閉じた際に前端で前記収納ケースとの間を密閉する小物ケースと、前記収納ケースの後方で前記小物ケースから下方に延びる突出部と、前記貯蔵室の下面に設けられる水受部と、を備え、前記扉を閉じた状態で前記突出部が前記水受部の鉛直上方に配されることを特徴とする。
【０００７】
この構成によると、貯蔵物を収納した収納ケースは前後にスライドに移動し、小物ケースは収納ケースの上面を前後にスライドして開閉する。小物ケースを閉じると、収納ケースの前端が小物ケースにより密閉される。扉を閉じた状態で貯蔵物から水分が放出されると、小物ケースの突出部には結露によって発生する結露水が付着する。その後、結露水は大きくなると自重により鉛直下方の水受部に滴下する。
【０００８】
また本発明は、前記収納ケースの背面には前記突出部に対向した切欠部が設けられることを特徴とする。
【０００９】
また本発明は、前記貯蔵室に冷気を吐出する吐出口が前記収納ケースの後方に設けられることを特徴とする。
【００１０】
また本発明は、前記突出部の一部又は全部が金属板により形成されることを特徴とする。
【００１１】
また本発明は、前記貯蔵室が野菜室から成ることを特徴とする。
【発明の効果】
【００１２】
本発明によると、小物ケースの後端に設けられて下方に延びる突出部と、貯蔵室の下面に設けられる水受部と、を備え、扉を閉じた状態で突出部が前記水受部の鉛直上方に配されるので、突出部に付着した結露水は水受部に滴下する。これにより、貯蔵物に結露水が付着することを抑制し、貯蔵物の乾燥を抑制することができる。
【図面の簡単な説明】
【００１３】
【図１】本発明の実施形態の冷蔵庫を示す側面断面図
【図２】本発明の実施形態の収納ケースを示す平面図
【図３】本発明の実施形態の収納ケースを示す斜視図
【図４】本発明の実施形態の収納ケースを示す側面断面図
【発明を実施するための形態】
【００１４】
以下に本発明の実施形態を図面を参照して説明する。図１は本実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁６によって仕切られ、冷凍室４と野菜室５とは断熱壁７によって仕切られる。
【００１５】
冷蔵室３は貯蔵物を冷蔵保存し、前面の開口部３ａは回動式の扉３ｂにより開閉される。冷凍室４は貯蔵物を冷凍保存し、前面の開口部４ａは収納ケース８と一体に形成された引き出し式の扉４ｂにより開閉される。冷凍室４の側壁及び収納ケース８の側壁の外面には前後に延びて互いに摺動する案内部（不図示）が設けられる。案内部によって収納ケース８が扉４ｂとともに前後に円滑に出し入れされる。
【００１６】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。野菜室５の側壁及び収納ケース１０の側壁の外側には前後に延びて互いに摺動する案内部（不図示）が設けられる。案内部によって収納ケース１０が扉５ｂとともに前後に円滑に出し入れされる。
【００１７】
野菜室５の後方には圧縮機４１が配される。圧縮機４１には凝縮器、膨張器及び冷却器（いずれも不図示）が順に接続され、圧縮機４１の駆動によりイソブタン等の冷媒が循環して冷凍サイクルが構成される。
【００１８】
図２、図３、図４は収納ケース１０の平面図、斜視図及び側面断面図を示す。尚、図３は小物ケース１１を取り外した状態を示している。収納ケース１０は上面を開口した樹脂成型品から成り、断熱材を充填した扉５ｂ（図１参照）の背面に取り付けられる。収納ケース１０の上面には果物等の小物の貯蔵物を収納する小物ケース１１が載置される。小物ケース１１は樹脂成型品から成り、収納ケース１０に対して前後にスライド自在に配される。これにより、収納ケース１０の上面が開閉される。
【００１９】
小物ケース１１の前端には収納ケース１０との間に配される可撓性のパッキン４０が設けられる。パッキン４０はシリコンゴム、ニトリルゴム、エチレンプロピレンゴム、クロロプレインゴムのいずれか一つまたは複数の併用によって形成することができる。パッキン４０は収納ケース１０の前端に設けてもよい。これにより、収納ケース１０の上面を閉じた際に前端で収納ケース１０と小物ケース１１との間を密閉することができる。
【００２０】
収納ケース１０の前部右側には上面を開口した収納ボックス１６が配される。小物ケース１１の前部には収納ボックス１６が嵌挿される嵌挿部１５が切り欠いて形成され、パッキン４０によって小物ケース１１と収納ボックス１６との間が密閉される。収納ボックス１６内には内容量が２Ｌのペットボトル等の背の高い貯蔵物が収納される。
【００２１】
収納ケース１０の背面１０ａには切欠部１０ｂが形成される。切欠部１０ｂの下端１０ｃと小物ケース１１の底面との間は距離Ｄ（図４参照）だけ離隔する。距離Ｄは収納ケース１０の高さ１／２以上に形成されるとよい。小物ケース１１の後端には収納ケース１０の後方で鉛直下方に突出するリブ（突出部）１１ｂが設けられる。
【００２２】
リブ１１ｂは切欠部１０ｂの下端１０ｃより下方に延び、切欠部１０ｂの正面をリブ１１ｂが覆う。これにより、冷気が収納ケース内１０へ流入され難い構成となっている。この時、収納ケース１０の背面とリブ１１ｂとの間には前後方向の隙間Ｓが形成される。隙間Ｓを設けることで、確実に小物ケース１１によって収納ケース１０の前端を密閉することができる。また、リブ１１ｂの一部又は全部が金属板により形成されていてもよい。
【００２３】
野菜室５の下壁には水受部４２が設けられる。水受部４２は左右方向に両側壁まで伸びて凹形状に形成される。リブ１１ｂは扉５ｂを閉じた際に水受部４２の鉛直上方に配される。また、野菜室５に冷気を吐出する吐出口３６が収納ケース１０の後方に設けられる。
【００２４】
上記構成の冷蔵庫１において、冷却器との熱交換により生成される冷気は冷蔵室３及び冷凍室４に吐出され、冷蔵室３及び冷凍室４を冷却する。冷凍室４を流通した冷気は冷却器に戻る。冷蔵室３を流通した冷気は野菜室５に導かれ、吐出口３６から野菜室５内に吐出される。
【００２５】
収納ケース１０内は前部が密閉されるとともに、吐出口３６からの冷気はリブ１１ｂにより遮蔽される。これにより、収納ケース１０の冷気の流れが抑制され、貯蔵物の乾燥が抑制される。
【００２６】
また、収納ケース１０内の野菜等の貯蔵物から水分が放出されると、収納ケース１０及び小物ケース１１の壁面に結露が発生する場合がある。この時、小物ケース１１のリブ１１ｂ上に発生した結露水Ｗは自重により流下し、水受部４２に回収される。これにより、収納ケース１０の底面に流下する結露水Ｗを低減することができる。また水受部４２に回収された結露水Ｗは徐々に蒸発する。
【００２７】
また、切欠部１０ｂを設けているためリブ１１ｂが収納ケース１０内に臨んで配され、リブ１１ｂ上の広い面積に結露水Ｗを発生させて水受部４２に回収することができる。これにより、収納ケース１０内の結露水Ｗをより低減することができる。また、吐出口３６が収納ケース１０の後方に配されているため、リブ１１ｂの外面を低温の冷気が流通する。これにより、リブ１１ｂ上により多くの結露水Ｗを発生させることができ、収納ケース１０内の結露水Ｗをより低減することができる。
【００２８】
本実施形態によると、小物ケース１１の後端に設けられて下方に延びるリブ１１ｂと、野菜室５の下面に設けられる水受部４２と、を備え、扉５ｂを閉じた状態でリブ１１ｂが水受部４２の鉛直上方に配されるので、リブ１１ｂに付着した結露水Ｗは水受部４２に滴下する。これにより、貯蔵物に結露水Ｗが付着することを抑制し、貯蔵物の乾燥を抑制することができる。
【００２９】
また、収納ケース１０の背面にはリブ１１ｂに対向した切欠部１０ｂが設けられるため、リブ１１ｂの表面に結露が発生されやすくなる。
【００３０】
また、野菜室５に冷気を吐出する吐出口３６が収納ケース１０の後方に設けられるため、リブ１１ｂが冷気により冷却されてリブ１１ｂの表面に結露がより発生されやすくなる。
【００３１】
また、リブ１１ｂの一部又は全部が金属板により形成されてもよい。これにより、リブ１１ｂの表面に結露が容易に発生されるとともに、貯蔵物を効率よく間接的に冷却することができる。
【産業上の利用可能性】
【００３２】
本発明によると、スライド移動する収納ケースを備えた冷蔵庫に利用することができる。
【符号の説明】
【００３３】
１      冷蔵庫
３      冷蔵室
４      冷凍室
５      野菜室（貯蔵室）
８      収納ケース(冷凍室)
１０    収納ケース
１０ｂ  切欠部
１１    小物ケース
１１ｂ  リブ（突出部）
１５    嵌挿部
１６    収納ボックス
３０    仕切板
３６    吐出口
４０    パッキン
４２    水受部
Ｄ      距離
Ｓ      隙間
Ｗ      結露水
【図１】
2013036665.tif 000003
【図２】
2013036665.tif 000004
【図３】
2013036665.tif 000005
【図４】
2013036665.tif 000006